(57)【特許請求の範囲】
【請求項１】
袋本体前面上端に封緘用フラップ部を設けた封筒において、前記封緘用フラップ部に封緘用延長フラップ部を更に設けると共に前記袋本体裏面上端にサブフラップ部を設け、第１回目の使用時は該封緘用延長フラップ部を前記封緘用フラップ部の内側に折り曲げて前記サブフラップ部を挟み込むと共に前記封緘用フラップ部及びサブフラップ部を折り曲げ、前記封緘用延長フラップ部を前記袋本体に貼着して封止し、そして、該封緘用延長フラップ部と前記封緘用フラップ部とを分離して開封後、第２回目の使用時は前記封緘用フラップ部を前記袋本体及び前記サブフラップ部に貼着して封止することを特徴とする多用途封筒。
【請求項２】
袋本体前面上端に封緘用フラップ部を設けた封筒において、前記封緘用フラップ部に封緘用延長フラップ部を更に設けると共に前記封緘用フラップ部の両側にサイドフラップを設け、第１回目の使用時は前記サイドフラップ部を内側に折り曲げ、該封緘用延長フラップ部を前記封緘用フラップ部の内側に折り曲げて前記サイドフラップ部を挟み込むと共に前記封緘用フラップ部を折り曲げ、前記封緘用延長フラップ部を前記袋本体に貼着して封止し、そして、該封緘用延長フラップ部と前記封緘用フラップ部とを分離して開封後、第２回目の使用時は前記封緘用フラップ部を前記袋本体及び前記サイドフラップ部に貼着することを特徴とする多用途封筒。
【発明の詳細な説明】
【０００１】
【発明の属する技術分野】
本発明は、多用途封筒に関する。詳しくは、開封しやすく、資源の節約に寄与する封筒に関する。
【０００２】
【従来の技術】
通常の封筒は、袋部分と、封緘用のフラップ部とからなり、宛て名は袋部分の表面に書かれ、フラップ部は袋部分の裏面に折り曲げて糊付けされるのが一般的である。
【０００３】
【発明が解決しようとする課題】
上述した従来の封筒は、開封の際に、ペーパーナイフ等で封緘用のフラップ部を切り開くため、再度封止することができず、封筒としての使用は１回に限られていた。
また、封緘用のフラップ部を袋本体に完全に密着して糊付けすると、ペーパーナイフ等を挿入することが困難となり、不慣れな人は開封するのに手間がかかるという問題もあった。
【０００４】
尚、開封を容易とするため、封緘用のフラップ部に開口部を設けて、ペーパーナイフ等を挿入し易くした例もあるが、開口部から異物が浸入する可能性があり、細かな内容物が外部に飛び出すおそれもあった。
本発明は、封筒の再使用を可能とすることにより、省資源を図ると共にごみの減少にも寄与することを目的とするものである。
更に、本発明は、障害者だけでなく、広く一般の人々に使いやすいデザイン、いわゆる、ユニバーサルデザインの思想の基に着想されたものである。
【０００５】
【課題を解決するための手段】
上記課題を解決する本発明の請求項１に係る多用途封筒は、袋本体前面上端に封緘用フラップ部を設けた封筒において、前記封緘用フラップ部に封緘用延長フラップ部を更に設けると共に前記袋本体裏面上端にサブフラップ部を設け、第１回目の使用時は該封緘用延長フラップ部を前記封緘用フラップ部の内側に折り曲げて前記サブフラップ部を挟み込むと共に前記封緘用フラップ部及びサブフラップ部を折り曲げ、前記封緘用延長フラップ部を前記袋本体に貼着して封止し、そして、該封緘用延長フラップ部と前記封緘用フラップ部とを分離して開封後、第２回目の使用時は前記封緘用フラップ部を前記袋本体及び前記サブフラップ部に貼着して封止することを特徴とする。
【０００７】
上記課題を解決する本発明の請求項２に係る多用途封筒は、袋本体前面上端に封緘用フラップ部を設けた封筒において、前記封緘用フラップ部に封緘用延長フラップ部を更に設けると共に前記封緘用フラップ部の両側にサイドフラップを設け、第１回目の使用時は前記サイドフラップ部を内側に折り曲げ、該封緘用延長フラップ部を前記封緘用フラップ部の内側に折り曲げて前記サイドフラップ部を挟み込むと共に前記封緘用フラップ部を折り曲げ、前記封緘用延長フラップ部を前記袋本体に貼着して封止し、そして、該封緘用延長フラップ部と前記封緘用フラップ部とを分離して開封後、第２回目の使用時は前記封緘用フラップ部を前記袋本体及び前記サイドフラップ部に貼着することを特徴とする。
【０００８】
【発明の実施の形態】
以下、本発明をついて、図面を参照して詳細に説明する。以下の実施例は、一例として郵便用封筒に適用したものである。
〔実施例１〕
本発明の第１の実施例に係る多用途封筒を図１〜図５に示す。
本実施例の多用途封筒は、図１及び図２に示すように、袋本体１０の前面上端に封緘用フラップ部２０を設け、封緘用フラップ部２０に封緘用延長フラップ部３０を更に設けたものである。
第１回目の使用時は、図２に示すように、封緘用延長フラップ部３０を封緘用フラップ部２０の内側に折り曲げると共に封緘用フラップ部２０を折り曲げ、図３に示すように、封緘用延長フラップ部３０を袋本体１０に貼着して封止する。
つまり、封緘用フラップ部２０、封緘用延長フラップ部３０を二重に折り畳んだ状態とする。
【０００９】
この段階では、図４に示すように、封緘用延長フラップ部３０で糊付けし、封緘用フラップ部２０は糊付けしないため、封緘用フラップ部２０と袋本体１０との間には空洞５０が生じる。尚、図中では、空洞５０は誇張して描いてある。
そして、開封の際には、ペーパーナイフ等を封緘用フラップ部２０と袋本体１０との間の空洞５０に挿入し、引き下ろすことにより、封緘用延長フラップ部３０と封緘用フラップ部２０とを切り離す。
その後、第２回目の使用時は、通常通り、封緘用フラップ部２０を袋本体１０に貼着することにより封止する。
【００１０】
このように、第１回目の使用時は封緘用延長フラップ部３０により封緘し、第２回目の使用時には封緘用フラップ部２０により封緘することが可能となり、封筒としての再利用が可能となる。
但し、第１回目の使用後に、袋本体１０から封緘用フラップ部２０を切り離して開封すると、第２回目は封筒として使用できなくなる。
そのため、第１回目の封止状態において封緘用フラップ部２０の下方に見えるように、「封筒の上ふたの横からペーパーナイフなどを入れると簡単に開けられます」という注意書き４０を袋本体１０に表示すると良い。
また、開封箇所を明確とするため、封緘用延長フラップ部３０の下部に、マークを入れたり、開封口と表示して破線を入れることも有効である。
【００１１】
更に、開封を容易とするため、封緘用フラップ部２０と封緘用延長フラップ部３０との間には、開封用のミシン目又は開封紐を設けることもできる。
また、図１（ａ）に示す封緘用延長フラップ部３０の表面は、糊面であるので予め糊を付着させていても良いし、両面テープを貼付しておいても良い。
同様に、図１（ｂ）に示す封緘用フラップ部２０の裏面は、糊面であるので予め糊を付着させていても良いし、両面テープを貼付しておいても良い。
【００１２】
本実施例の多用途封筒の他の使用例を図５に示す。
この例は、厳重文書を送る場合に適用されるものであり、封緘用フラップ部２０と封緘用延長フラップ部３０とを同時に袋本体１０の裏面に糊付けするものである。
このようにすると、封筒としては１回の使用に限られ再利用はできないが、一般的な封筒に比較し糊付け面積が倍増するため、郵送中に、糊付け部分が剥がれる虞が少なくなる。
尚、このように、封筒としての再利用を行わないので、開封の際は、袋本体１０から封緘用フラップ部２０を切り離すことにより行う。
【００１３】
〔実施例２〕
本発明の第２の実施例に係る多用途封筒を図６及び図７に示す。
本実施例に係る多用途封筒は、図６に示すように、袋本体１０の前面上端に封緘用フラップ部２０を設けた封筒において、封緘用フラップ部２０に封緘用延長フラップ部３０を更に設けると共に袋本体１０の裏面上端にサブフラップ部６０を設けたものである。
第１回目の使用時は封緘用延長フラップ部３０を封緘用フラップ部２０の内側に折り曲げてサブフラップ部６０を挟み込むと共に封緘用フラップ部２０及びサブフラップ部６０を折り曲げ、封緘用延長フラップ部３０を袋本体１０に貼着して封止する。
つまり、封緘用延長フラップ部３０、封緘用フラップ部２０、サブフラップ部６０を三重に折り畳んだ状態とする。
【００１４】
そして、開封する際は、上述した実施例１と同様に、ペーパーナイフ等を封緘用フラップ部２０と袋本体１０との間の空洞５０に挿入し、引き下ろすことにより、封緘用延長フラップ部３０と封緘用フラップ部２０とを切り離す。
本実施例では、封緘用フラップ部２０とサブフラップ部６０が重なり合って２枚重ねとなるため、ペーパーナイフ等では袋本体１０から封緘用フラップ部２０を切り離すのは困難となり、そのため、封緘用延長フラップ部３０と封緘用フラップ部２０とを切り離して開封することを促すことになる。
従って、本実施例によれば、より確実に封筒としての再利用が可能となる利点がある。
【００１５】
また、第２回目の使用時は、通常通り、封緘用フラップ部２０を袋本体１０及びサブフラップ部６０に貼着して封止する。
更に、厳重書類を送付する場合等は、三重に折り畳んだ封緘用延長フラップ部３０、封緘用フラップ部２０、サブフラップ部６０を相互に糊付けすることにより、現金書留用封筒と同様な機能を発揮させることも可能である。
このようにすると、封筒としては１回の使用に限られ再利用はできないが、一般的な封筒に比較し、三重に糊付けされるため、郵送中に、糊付け部分が剥がれる虞が少なくなる。
【００１６】
尚、このように、封筒としての再利用を行わないので、開封の際は、袋本体１０から封緘用フラップ部２０を切り離すことにより行う。
本実施例においても、前述した実施例と同様に、開封を容易とするため、封緘用フラップ部２０と封緘用延長フラップ部３０との間には、開封用のミシン目又は開封紐を設けることもできる。
また、開封箇所を明確とするため、袋本体１０に注意書き４０を入れたり、封緘用延長フラップ部３０の下部に、マークを入れたり、開封口と表示して破線を入れることも有効である。
【００１７】
〔実施例３〕
本発明の第３の実施例に係る多用途封筒を図８〜図１０に示す。
本実施例は、図８に示すように、袋本体１０前面上端に封緘用フラップ部２０を設けた封筒において、封緘用フラップ部２０に封緘用延長フラップ部３０を更に設けると共に封緘用フラップ部２０の両側にサイドフラップ部７１，７２を設けたものである。
第１回目の使用時はサイドフラップ部７１，７２を内側に折り曲げ、封緘用延長フラップ部３０を封緘用フラップ部２０の内側に折り曲げてサイドフラップ部７１，７２を挟み込むと共に封緘用フラップ部２０を折り曲げ、封緘用延長フラップ部３０を袋本体１０に貼着して封止する。
つまり、封緘用延長フラップ部３０、封緘用フラップ部２０、サイドフラップ部７１，７２を三重に折り畳んだ状態とする。
【００１８】
そして、開封する際は、上述した実施例１と同様に、ペーパーナイフ等を封緘用フラップ部２０と袋本体１０との間の空洞５０に挿入し、封緘用延長フラップ部３０と封緘用フラップ部２０とを切り離す。
本実施例では、封緘用フラップ部２０と袋本体１０との間には空洞５０が生じているが、サイドフラップ部７１，７２がその空洞５０を覆うため、外部から異物が浸入しにくく、また、細かな内容物が飛び出すこともなくなる。
また、第２回目の使用時は、通常通り、封緘用フラップ部２０を袋本体１０及びサイドフラップ部７１，７２に貼着して封止する。
【００１９】
更に、厳重書類を送付する場合等は、三重に折り畳んだ封緘用延長フラップ部３０、封緘用フラップ部２０、サイドフラップ部７１，７２を相互に糊付けすることにより、現金書留用封筒と同様な機能を発揮させることも可能である。
このようにすると、封筒としては１回の使用に限られ再利用はできないが、一般的な封筒に比較し、三重に糊付けされるため、郵送中に、糊付け部分が剥がれる虞が少なくなる。
尚、このように、封筒としての再利用を行わないので、開封の際は、袋本体１０から封緘用フラップ部２０を切り離すことにより行う。
【００２０】
本実施例においても、前述した実施例と同様に、開封を容易とするため、封緘用フラップ部２０と封緘用延長フラップ部３０との間には、開封用のミシン目又は開封紐を設けることもできる。
また、開封箇所を明確とするため、袋本体１０に注意書き４０を入れたり、封緘用延長フラップ部３０の下部に、マークを入れたり、開封口と表示して破線を入れることも有効である。
【００２１】
〔比較例〕
本発明の比較例としては、先ず、特願平１０−９４３６０号（甲出願）が挙げられる。
この甲出願は、次の請求項１，２に記載される２重フラップ郵便封筒であり、各請求項にはそれぞれ各要件よりなる。
【００２２】
〔請求項１〕
（ａ）フラップを２重構造となし、その第１部分を１回目の宛名欄及び剥離可能なシーリング欄として利用し、１回目の郵送可能とする。
（ｂ）次に受取人は第１フラップ部分を剥離して予め施されたミシン目により切離し、
（ｃ）内容物を取出せば残された封筒は第２フラップによりシーリングされれば、再び郵便封筒として利用できる。
【００２３】
〔請求項２〕
（ｄ）第１フラップに切取りミシン目を施し、２つの部分第１−１，第１−２に分離可能にし、
（ｅ）第１フラップのうら及び袋の、これに相当する部分に弱接着剤を施し、内容物を封入後、弱接着剤同志を弱圧着し、同時に第２フラップを通常シーリングして郵送後配達人が第１−１部分に受取人のサイン或いは印鑑を押捺し、これをミシン目から切離し書留郵便の受領証とする。
【００２４】
この甲出願の明細書の発明の詳細な説明の記載によれば、甲出願は、往復２度利用することができ、省資源及びごみの減少に役立つ２重フラップ郵便封筒を得ることを目的とするものであり、フラップを２重構造となす点に特徴を有することは明らかであり、第１フラップ部分と第２フラップ部分とを切り離すことにより上記目的を達成するものである。
【００２５】
また、発明の詳細な説明中の実施例の記載（上記公報第２頁右欄１行目〜３５行目）を見ると、実施例１，２においては、フラップは１−１と１−２とから成り、フラップ１−１の長辺には、弱接着剤層４−１が塗られており、またフラップ１−２には、第２のシーリング用接着剤（例えば再湿性）５も塗ってあり、封筒受取人がフラップ１−１を剥がしてミシン２によってフラップ１−１を切取り、内容物を取出した後、これを更に返信用として利用するには、残されたフラップ１−２に塗られた接着剤５によりシーリングすればよいと記載されている。
【００２６】
また、発明の詳細な説明中の実施例の記載（上記公報第２頁右欄３６行目〜第３頁左欄１行目）を見ると、実施例３においては、２重フラップを利用した書留用封筒が記載され、内容物を入れた後フラップ１−１を弱接着剤層４−１と４−２との圧着だけでなく、フラップ１−２をも再湿性接着剤５によってこの封筒をシーリングし、従ってこのフラップ１−２に受取人の印鑑を押捺するか又はサインすれば、フラップ１−２を切り取って書留便の配達証として用いることができると記載されている。
【００２７】
このような甲出願の明細書の記載によれば、請求項１，２に係る発明は、次の態様が挙げられることになる。
その一つの態様は、請求項１に関するものであり、第１フラップ１−１と第２フラップ１−２とをミシン目２にて分離可能とし、第１回目の使用時は第１フラップ１−１によりシーリングし、次に、第１フラップ１−１をミシン目２によって切り取って開封後は、第２フラップ１−２でシーリングする態様と解される。
他の態様は、請求項２に関するものであり、第１フラップ１−１と第２フラップ１−２とをミシン目２にて分離可能とし、第１フラップ１−１，１−２によりシーリングし、第１フラップ１−１をミシン目２によって切り取って、書留郵便の受領証とする態様と解される。
【００２８】
また、甲出願の明細書には、第１フラップ１−１と第２フラップ１−２とが２重に折り曲げるという態様については記載されておらず、接着剤層４−１，４−２も同一面に並んでいる。
特に、甲出願の明細書には、ミシン目２によって切り取るという記載のみであり、ペーパーナイフ等を使用して開封する際の配慮は見られていない。
従って、甲出願における「２重フラップ」とは、上記二つの態様に見られるように、フラップ部を２重に折り曲げることを意味するものではなく、二つのフラップ部がミシン目を介して切り取り可能に延長されているに過ぎないと解さざるを得ない。
【００２９】
このように説明したように、甲出願の請求項１，２に係る発明と本願発明とを比較すると、以下のような結論となる。
先ず、甲出願に係る請求項１の要件（ａ）については、フラップが複数存在する点では共通するものの、甲出願では第２フラップに対して第１フラップは折り曲げられない「２重フラップ」であるのに対し、本願発明では第１回目の使用時に封緘用フラップ部に対して封緘用延長フラップ部が２重に折り曲げられる点で相違する。
次に、甲出願に係る請求項１の要件（ｂ）については、甲出願はミシン目を必須の構成要件とするのに対し、本発明では、ペーパーナイフ等で切り離すことを考慮し、必ずしも必要としない点で相違する。
【００３０】
また、甲出願に係る請求項１の要件（ｃ）については、何れも第２回目の使用時は、通常の封筒として使用される点で共通する。
更に、甲出願に係る請求項２の要件（ｄ）については、甲出願はミシン目を必須の構成要件とするのに対し、本発明では、ペーパーナイフ等で切り離すことを考慮し、必ずしも必要としない点で相違する。
また、甲出願に係る請求項２の要件（ｅ）については、甲出願は第１，第２フラップを同時にシーリングするのに対し、本発明では、再使用を目的とするため、二つのフラップ部は糊付け面が異なり同時に糊付けされることはない点で相違する。
【００３１】
上記の通り、甲出願に係る発明と本発明とは、構成要件（ｃ）については共通するものの、構成要件（ａ）（ｂ）（ｄ）（ｅ）がそれぞれ相違するから、両者は、封筒としての再利用、省資源に寄与するという目的は一部共通するしても、本発明は甲出願の請求の範囲に記載される技術的範囲には属さないものである。
更に、本発明は、ペーパーナイフ等による開封を容易とするため、フラップ部を二重に折り曲げることにより空隙部を形成する点において、甲出願よりも、広く一般の人に使いやすいという利点がある。
【００３２】
一方、他の比較例としては、特願平５−９７６４号（以下、乙出願という）が挙げられる。
この乙出願には、上記甲出願と同様に、封筒の封緘部に平行な２ヵ所の糊付けを設け、平行した糊付の中間にはさみ用切り込みを設けたことが記載され、同一の封筒を再利用でき、経費の節減と紙の節約ができる旨が記載されている。
しかし、この乙出願には、本発明と異なり、封緘部を２重に折り曲げることや、ペーパーナイフ等を使用した開封については何ら考慮されておいない。
【００３３】
更に、他の比較例としては、実願平１０−６９７９号（以下、丙出願という）が挙げられる。
この丙出願には、上記甲出願と同様に、書類出し入れ開放部に設けた折り返しの封舌片端部に、切り取りミシン目を介して更に延長した表示舌部を一体に成形することにより、一つの封筒を２回使用できることが記載されている。
しかし、この乙出願には、本発明と異なり、封緘部を２重に折り曲げることや、ペーパーナイフ等を使用した開封については何ら考慮されていない。
【００３４】
更に、他の比較例として、意願昭６３−３４８７８号（以下、丁出願という）がある。
この丁出願には、中央に区画片が設けられ、全体が合成樹脂からなる封筒であが記載されているが、本発明に係る多用途封筒には、区画片は設けられず、また、合成樹脂とするべき理由もない。
更に、この丁出願には、封緘部をついてどの様に折り曲げるのかについて説明がなく、封筒としての再利用については考慮されていない。
【００３５】
上記乙、丙、丁出願に係る記載を上記甲出願の記載と組み合わせても、本発明と同様な多用途封筒については何ら示唆することろがなく、また、本発明の多用途封筒は、ペーパーナイフ等を利用して開封し易いという甲出願には記載されない顕著な利点がある。
【００３６】
【発明の効果】
以上、実施例に基づいて具体的に説明した通り、本発明によれば、次の効果を奏する。
▲１▼封緘用延長フラップ部を封緘用フラップ部の内側に折り曲げると共に封緘用フラップ部を折り曲げるため、つまり、フラップ部を二重に折り曲げるため、袋本体との間に空洞部が形成され、その空洞部にペーパーナイフ等を差し込んで開封しやすい。
▲２▼封緘用延長フラップ部と封緘用フラップ部とを分離して開封した後も、封緘用フラップ部により袋本体と糊付けすれば、再利用できる。
▲３▼袋本体裏面上端にサブフラップ部を設けると、サブフラップ部と封緘用フラップ部と重なり合って２枚重ねとなるため、ペーパーナイフ等では封緘用フラップ部を容易に切り離しできず、封緘用延長フラップ部による開封を促すことができる。
▲４▼サイドフラップ部を設けると、フラップ部と袋本体との間に形成される空洞部をサイドフラップ部で覆うため、外部から異物が浸入しにくく、細かな内容物が飛び出すこともない。
【図面の簡単な説明】
【図１】本発明の第１の実施例に係る多用途封筒の正面図及び背面図である。
【図２】本発明の第１の実施例に係る多用途封筒の折曲状態を示す説明図である。
【図３】本発明の第１の実施例に係る多用途封筒の貼着状態を示す説明図である。
【図４】本発明の第１の実施例に係る多用途封筒の封緘用フラップ部を拡大して示す斜視図である。
【図５】本発明の第１の実施例に係る多用途封筒の他の使用状態を示す説明図である。
【図６】本発明の第２の実施例に係る多用途封筒の展開図である。
【図７】本発明の第２の実施例に係る多用途封筒の折曲状態を示す説明図である。
【図８】本発明の第３の実施例に係る多用途封筒の背面図である。
【図９】本発明の第３の実施例に係る多用途封筒の折曲状態を示す説明図である。
【図１０】本発明の第３の実施例に係る多用途封筒の折曲状態を示す説明図である。
【符号の説明】
１０  袋本体
２０  封緘用フラップ部
３０  封緘用延長フラップ部
４０  注意書き
５０  空洞
６０  サブフラップ部
７１，７２  サイドフラップ部
【図１】
0003748834.tif 000002
【図２】
0003748834.tif 000003
【図３】
0003748834.tif 000004
【図４】
0003748834.tif 000005
【図５】
0003748834.tif 000006
【図６】
0003748834.tif 000007
【図７】
0003748834.tif 000008
【図８】
0003748834.tif 000009
【図９】
0003748834.tif 000010
【図１０】
0003748834.tif 000011